(57)【要約】      （修正有）【課題】映像区域にあるアイコンを選択する選択装置を提供する。【解決手段】第１動作を感知し第１信号に転換する動作感知ユニットと、前記第１信号を映像区域にある第１軌跡に転換し、前記第１軌跡に基づき前記映像区域にある第１区域を決定し、そして前記第１区域、及び前記映像区域に表示されたアイコンがある第２区域に基づき、前記アイコンが選択されるかどうかを決定する処理ユニットと、を備えて成ることを特徴とする選択装置。【選択図】図２
2010108482.tif 000002
【特許請求の範囲】
【請求項１】
映像区域にあるアイコンを選択する選択装置であって、
第１動作を感知し第１信号に転換する動作感知ユニットと、
前記第１信号を前記映像区域にある第１軌跡に転換し、前記第１軌跡に基づき前記映像区域にある第１区域を決定し、そして前記第１区域、及び前記映像区域に表示された前記アイコンがある第２区域に基づき、前記アイコンが選択されるかどうかを決定する処理ユニットと、
を備えて成ることを特徴とする選択装置。
【請求項２】
前記第１動作は、手、腕、足、足首、頭、首、肩及び腰よりなる群から選ばれた少なくとも一つによって生成されたことを特徴とする請求項１記載の選択装置。
【請求項３】
映像区域にあるアイコンを選択する選択装置であって、
第１動作を有し、前記第１動作を前記映像区域にある第１軌跡に転換し、前記第１軌跡に基づき前記映像区域にある第１区域を決定し、そして前記第１区域、及び前記映像区域に表示された前記アイコンがある第２区域に基づき、前記アイコンが選択されるかどうかを決定する選択ユニットと、
を備えて成ることを特徴とする選択装置。
【請求項４】
限定できる位置は前記映像区域内に限定され、
前記選択ユニットは、
前記第１動作を第１信号に転換する動作感知ユニットと、
前記第１信号を前記限定できる位置の前記第１軌跡に転換し、前記第１軌跡に基づき前記第１区域を決定し、そして前記第１区域及び前記第２区域に基づき、前記アイコンが選択されるかどうかを決定する処理ユニットと、を備え、
前記動作感知ユニットは、
少なくとも二つの感知自由度を有し、前記第１動作を感知し前記第１信号の第１部分を生成するジャイロスコープと、
少なくとも二つの感知自由度を有し、前記第１動作を感知し前記第１信号の第２部分を生成する加速度センサーと、を備え、
前記処理ユニットは、マイクロコントローラ、マイクロプロセッサー、デジタルシグナルプロセッサ及び中央処理装置よりなる群から選ばれた一つを含むことを特徴とする請求項３記載の選択装置。
【請求項５】
前記第１動作は、手が前記選択ユニットを駆動させることによって生成され、
前記第１動作は三次元の動作と二次元の動作との少なくとも一つを含むことを特徴とする請求項３記載の選択装置。
【請求項６】
前記第１軌跡は、弧角度を有する第１弧、第２弧と第１線段との組み合い、及び複数の第２線段よりなる群から選ばれた少なくとも一つを含み、
前記第１軌跡が前記第１弧である際に、前記第１弧の前記弧角度は３６０度、近３６０度、及び３６０度以上よりなる群から選ばれた一つであることを特徴とする請求項３記載の選択装置。
【請求項７】
前記第１区域は閉じた区域を含み、
特定状況には前記選択ユニットは、前記アイコンが選択されたことを引き起こし、
前記特定状況は、
前記第１区域と前記第２区域とは部分的に重ね合わせるという第１状況と、
前記第１区域と前記第２区域とは全く重ね合わせるという第２状況と、
前記第１区域は前記第２区域を全く覆うという第３状況と、
前記第１区域の重心は前記第２区域内に位置するという第４状況と、
前記第１軌跡は前記第２区域を通り過ぎるという第５状況と、
前記第１軌跡は前記第２区域に接触するという第６状況と、よりなる群から選ばれた一つであることを特徴とする請求項３記載の選択装置。
【請求項８】
映像区域にあるアイコンを選択する選択方法であって、
第１動作を前記映像区域にある第１軌跡に転換するステップと、
前記第１軌跡に基づき前記映像区域にある第１区域を決定するステップと、
前記第１区域、及び前記映像区域に表示された前記アイコンがある第２区域に基づき、前記アイコンが選択されるかどうかを決定するステップと、
を備えて成ることを特徴とする選択方法。
【請求項９】
前記第１動作を第１信号に転換するステップと、
前記第１信号を前記第１軌跡に転換するステップと、
をさらに備えて成ることを特徴とする請求項８記載の選択方法。
【請求項１０】
限定できる位置は前記映像区域内に限定され、
前記選択方法はさらに、
前記第１動作を始動させるステップと、
前記限定できる位置の前記第１軌跡の参考点を初期化するステップと、
前記限定できる位置を前記第１動作のポーズに関連づけるステップと、
前記参考点に校正と補償を行なうステップと、
を備えて成ることを特徴とする請求項８記載の選択方法。
【請求項１１】
前記選択方法は、特定状況に前記アイコンが選択されたことを引き起こすステップを更に備え、
前記特定状況は、
前記第１区域と前記第２区域とは部分的に重ね合わせるという第１状況と、
前記第１区域と前記第２区域とは全く重ね合わせるという第２状況と、
前記第１区域は前記第２区域を全く覆うという第３状況と、
前記第１区域の重心は前記第２区域内に位置するという第４状況と、よりなる群から選ばれた一つであることを特徴とする請求項８記載の選択方法。
【請求項１２】
前記アイコンが選択された後、前記選択方法はさらに、
第２動作を前記映像区域にある第２軌跡に転換するステップと、
前記第２軌跡に基づき、前記アイコンの予定機能が行なわれるかどうかを決定するステップと、を備え、
前記アイコンの前記予定機能が行なわれた後、前記選択方法はさらに、
第３動作を、前記映像区域にある、方向と前記映像区域にある起点を有する水平線段または垂直線段である第３軌跡に転換するステップと、
前記線段の前記方向と前記起点、及び前記映像区域の限界に基づき、第４作動で、前記映像区域に表示された映像がスクロールされることを引き起こすステップと、を備えることを特徴とする請求項８記載の選択方法。
【発明の詳細な説明】
【技術分野】
【０００１】
本発明はバックライトの制御回路に関し、特に自動車用計器盤に応用されるバックライトの制御回路に関する。
【背景技術】
【０００２】
従来の二次元のマウスを机に移動させるように、一般に、スクリーンではカーソルをアイコンに移動させた後、そのマウスの左ボタンを速く押すことによって、そのアイコンの機能を行なう。図１（ａ）、（ｂ）は従来のアイコン選択システム９１の選択配置９１１、９１２を示す図である。図１（ａ）に示したように、選択配置９１１は映像区域１２、映像１３、カーソル１４、及びマウス１７を含む。映像１３は映像区域１２に表示され、複数のアイコン１３１、１３２、１３３、１３４、１３５及び１３６を含む。マウス１７は平面で作動できる二次元マウス、空間で作動できる三次元マウスとしてもよい。アイコン１３４を選択するという動作について、従来のマウス１７の動作目的は、カーソル１４を所望のアイコン１３４に移動させることである。従って、マウス１７の動作形態は、カーソル１４をＸまたはＹ方向へ、もしくはＸとＹ方向両方の合成線段のように移動させる。
【０００３】
図１（ｂ）に示したように、選択配置９１２のカーソル１４はアイコン１３１を選択するように使われる。カーソル１４の動作トレースは一般的に言って、Ａ１、Ａ２、Ａ３、Ａ４、Ａ５、Ａ６、Ａ７及びＡ８などの、組み合われた複数の線段を含む。
【０００４】
近年、メムス(micro-electro-mechanical types)のジャイロスコープ、加速度センサーがより便利に使われるとともに、手が空間を移動することを感知し、スクリーンのポインターを制御し、アイコンを選択しそのアイコンの機能を行なうような、いわゆる三次元マウスは次第に開発されてくる。それでも、三次元マウスと、机で使われる従来の二次元マウスと比べて、両者の作動には大きな相違点があると分かる。二次元マウスが机で移動する際に、正常に支えられている。この時、マウスのボタンを指で速くに押すと、二次元マウスは移動してスクリーンのポインターをアイコンから離すことができない。しかしながら、三次元マウスが空間で移動する際に、支えられることができない。この時、アイコンの機能を行なうようにマウスのボタンを指で速くに押すと、手の動作のせいで、二次元マウスは移動してスクリーンのポインターをアイコンから離すことはある。Logitech（登録商標）の製品Air Mouse（登録商標）はこんな欠陥を有する。
【０００５】
上記の欠陥を改善するように、Gyration（登録商標）などの会社は自発的なボタンを開発して、それを三次元マウスに設置して、ポインターの作動を改善する。詳細に、三次元マウスが空間で移動し、自発的なボタンが押された際に、スクリーンのカーソルはマウスと共に移動することができる。カーソルがアイコンに位置し自発的なボタンがリリースされた際に、カーソルはもはやマウスと共に移動しない。この時、ボタンを押すことによってアイコンの機能を行なう。スクリーンのカーソルとマウスの動作との関係が切断されたので、マウスが移動しても、カーソルは相変わらずアイコンに位置して機能を行なうことができる。この作動模式は、機能が行なわれることを引き起こすことができるが、実際的に人間の動作の習慣に違反する恐れがある。その上、この作動は断続的になって、使用者に不快な感じを与える。
【発明の開示】
【発明が解決しようとする課題】
【０００６】
本発明は、上記の問題に鑑みてなされたものであり、その目的は、円形動作軌跡で区域をマークし、この区域が選択されるアイコンを取り囲む、通り過ぎる、或いは覆うようにする。アイコンが選択された後、アイコンの所望機能が行なわれることを引き起こす動作がされる。その動作は、照合のしるし、バツ、或いはもう一つの円形を描くこと、又は手と腕の他の動作であってもよい。アイコンを選択するための作動は完備して、人体工学に基づくものである。
【課題を解決するための手段】
【０００７】
上記目的を達成するための本発明は、映像区域にあるアイコンを選択する選択装置を提供する。選択装置は、第１動作を感知し第１信号に転換する動作感知ユニットと、前記第１信号を前記映像区域にある第１軌跡に転換し、前記第１軌跡に基づき前記映像区域にある第１区域を決定し、そして前記第１区域、及び前記映像区域に表示された前記アイコンがある第２区域に基づき、前記アイコンが選択されるかどうかを決定する処理ユニットと、を備えて成ることを特徴とする。
【０００８】
上記目的を達成するための本発明は、映像区域にあるアイコンを選択する選択装置を提供する。選択装置は、第１動作を有し、前記第１動作を前記映像区域にある第１軌跡に転換し、前記第１軌跡に基づき前記映像区域にある第１区域を決定し、そして前記第１区域、及び前記映像区域に表示された前記アイコンがある第２区域に基づき、前記アイコンが選択されるかどうかを決定する選択ユニットと、を備えて成ることを特徴とする。
【０００９】
上記目的を達成するための本発明は、映像区域にあるアイコンを選択する選択方法を提供する。選択方法は、第１動作を前記映像区域にある第１軌跡に転換するステップと、前記第１軌跡に基づき前記映像区域にある第１区域を決定するステップと、前記第１区域、及び前記映像区域に表示された前記アイコンがある第２区域に基づき、前記アイコンが選択されるかどうかを決定するステップと、を備えて成ることを特徴とする。
【図面の簡単な説明】
【００１０】
【図１Ａ】図１Ａは、従来のアイコン選択システム９１の選択配置９１１、９１２を示す図である。
【図１Ｂ】図１Ｂは、従来のアイコン選択システム９１の選択配置９１１、９１２を示す図である。
【図２】図２は、本発明の実施例１による選択システムを示す図である。
【図３】図３は、本発明の実施例２による選択システムを示す図である。
【図４Ａ】図４Ａは、本発明の実施例２による、選択システムの始動配置を示す図である。
【図４Ｂ】図４Ｂは、本発明の実施例２による、選択システムの始動配置を示す図である。
【図５】図５は、本発明の実施例２による、選択システムの対応配置を示す図である。
【図６Ａ】図６Ａは、本発明の実施例２による、選択システムの選択配置を示す図である。
【図６Ｂ】図６Ｂは、本発明の実施例２による、選択システムの選択配置を示す図である。
【図７Ａ】図７Ａは、本発明の実施例２による、選択システムの位置配置を示す図である。
【図７Ｂ】図７Ｂは、本発明の実施例２による、選択システムの位置配置を示す図である。
【図８Ａ】図８Ａは、本発明の実施例２による、選択システムの位置スクロール配置を示す図である。
【図８Ｂ】図８Ｂは、本発明の実施例２による、選択システムの位置スクロール配置を示す図である。
【図８Ｃ】図８Ｃは、本発明の実施例２による、選択システムの位置スクロール配置を示す図である。
【図８Ｄ】図８Ｄは、本発明の実施例２による、選択システムの位置スクロール配置を示す図である。
【図９】図９は、本発明の実施例２による選択システムの作動を示すフローチャートである。
【発明を実施するための最良の形態】
【００１１】
本願発明のその他の利点及び特徴については、以下に行う発明の実施の形態の説明から、より明らかとなるであろう。下記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【００１２】
図２は本発明の実施例１による選択システムを示す図である。図2に示したように、選択システム９２は表示スクリーン２１と選択装置２６とを含む。表示スクリーン２１の区域には、映像２３を表示するための映像区域２２がある。映像２３にはアイコン２３１が限定されるが、映像区域２２には限定できる位置２Ａがある。選択装置２６は、映像区域２２にてアイコン２３１を選択するもので、選択ユニット２７を含むものである。
【００１３】
選択ユニット２７は動作Ｆ２１を有するもので、動作Ｆ２１を限定できる位置２Ａの軌跡Ｇ２１に転換し、軌跡Ｇ２１に基づき映像区域２２にある区域Ｈ２１を決定し、そして区域Ｈ２１、及び映像区域２２に表示されたアイコン２３１がある区域Ｋ２１に基づき、アイコン２３１が選択されるかどうかを決定するものである。
【００１４】
選択ユニット２７は動作感知ユニット２８と処理ユニット２９とを含む。動作感知ユニット２８は動作Ｆ２１を信号Ｓ１に転換するものである。処理ユニット２９は、信号Ｓ１を軌跡Ｇ２１に転換し、前記軌跡Ｇ２１に基づき区域Ｈ２１を決定し、そして区域Ｈ２１及び区域Ｋ２１に基づき、アイコン２３１が選択されるかどうかを決定するものである。処理ユニット２９はコントローラ２９１を含み、コントローラ２９１はマイクロコントローラ、マイクロプロセッサー、デジタルシグナルプロセッサ及び中央処理装置よりなる群から選ばれた一つを含んでもよい。
【００１５】
実施例において、動作感知ユニット２８はジャイロスコープ２８１を含み、ジャイロスコープ２８１は動作Ｆ２１を感知し信号Ｓ１を生成する。実施例において、動作感知ユニット２８は加速度センサー２８２を含み、加速度センサー２８２は動作Ｆ２１を感知し信号Ｓ１を生成する。実施例において、動作感知ユニット２８はジャイロスコープ２８１と加速度センサー２８２とを含む。ジャイロスコープ２８１は少なくとも二つの感知自由度を有し、動作Ｆ２１を感知し信号Ｓ１の第１部分Ｓ１１を生成する。加速度センサー２８２は少なくとも二つの感知自由度を有し、動作Ｆ２１を感知し信号Ｓ１の第２部分Ｓ１２を生成する。
【００１６】
手（図に示せず）で選択ユニット２７を駆動させ選択ユニット２７の動作Ｆ２１を生成する。動作Ｆ２１は三次元の動作と二次元の動作との少なくとも一つを含む。限定できる位置２Ａの第１軌跡は、弧角度を有する第１弧、第２弧と第１線段との組み合い、及び複数の第２線段よりなる群から選ばれた少なくとも一つを含む。軌跡Ｇ２１が第１弧である際に、第１弧の弧角度は３６０度、近３６０度、及び３６０度以上よりなる群から選ばれた一つである。
【００１７】
軌跡Ｇ２１によって決定された区域Ｈ２１は閉じた区域を含み、アイコンは区域Ｋ２１を有する。特定状況には選択ユニット２７は、アイコン２３１が選択されたことを引き起こす。その特定状況は、区域Ｈ２１と区域とＫ２１は部分的に重ね合わせるという第１状況と、区域Ｈ２１と区域Ｋ２１とは全く重ね合わせるという第２状況と、区域Ｈ２１は区域Ｋ２１を全く覆うという第３状況と、区域Ｈ２１の重心は区域Ｋ２１内に位置するという第４状況と、軌跡Ｇ２１は区域Ｋ２１を通り過ぎるという第５状況と、軌跡Ｇ２１は区域Ｋ２１に接触するという第６状況と、よりなる群から選ばれた一つである。
【００１８】
実施例において、選択ユニット２６は動作感知ユニット２８と処理ユニット２９とを含む。動作感知ユニット２８は動作Ｆ２１を感知し信号Ｓ１に転換するものである。処理ユニット２９は、信号Ｓ１を映像区域２２にある限定できる位置２Ａの軌跡Ｇ２１に転換し、軌跡Ｇ２１に基づき映像区域２２にある区域Ｈ２１を決定し、そして区域Ｈ２１、及び映像区域２２にアイコン２３１が表示された区域Ｋ２１に基づき、アイコン２３１が選択されるかどうかを決定するものである。動作感知ユニット２８によって感知された動作Ｆ２１は、手、腕、足、足首、頭、首、肩及び腰よりなる群から選ばれた少なくとも一つによって生成されてもよい。
【００１９】
図３は本発明の実施例２による選択システム９３を示す図である。図に示したように、選択システム９３は表示スクリーン３１と選択装置３６とを含む。表示スクリーン３１の区域には、映像区域３２がある。映像２３にはアイコン２３１が限定されるが、映像区域３２には限定できる位置３Ａがある。限定できる位置３Ａは映像区域３２におけるどれかの位置に限定されてもよい。
【００２０】
選択装置３６は選択ユニット３７を含む。選択ユニット３７はボタン３７１、動作感知ユニット３８、処理ユニット３９、無線通信モジュール３７３、発光ユニット３７４及び音声ユニット３７５を含む。それぞれのボタン３７１、動作感知ユニット３８、無線通信モジュール３７３、発光ユニット３７４及び音声ユニット３７５は処理ユニット３９とカップリングしている。
【００２１】
動作感知ユニット３８は三次元の動作を感知する機能を有し、信号Ｓ３を処理ユニット３９に提供する。動作感知ユニット３８はジャイロスコープ３８１及び／又は加速度センサー３８２を含む。ジャイロスコープ３８１或いは加速度センサー３８２は一つ、二つ又は三つの独立の感知自由度を有する。ジャイロスコープ３８１、加速度センサー３８２はそれぞれに信号Ｓ３のサブ信号Ｓ３１、Ｓ３２を処理ユニット３９に提供する。
【００２２】
図４（ａ）、（ｂ）は本発明の実施例２による、選択システム９３の始動配置９４１、９４２を示す図である。図４（ａ）に示したように、動作の感知を始動させるため、選択ユニット３７のボタン３７１を押して感知を始動させ、若しくはある動作をして感知を始動させる。感知の機能を始動させるため、ある動作を、加速度センサー３８２感知して、加速／減速を解釈することによって識別する。例えば、上下ピッチング動作Ｆ４１を用いて選択ユニット３７の動作感知機能を始動させる。
【００２３】
図４（ｂ）に示したように、選択ユニット３７の動作感知機能が始動した後、映像区域３２における限定できる位置３Ａの軌跡Ｇ４２は選択ユニット３７の動作Ｆ４２の軌跡に対応し、軌跡Ｇ４２の参考点Ｇ４２１は建てられる。ボタン３７１を押すことを通じて、選択ユニット３７が描いた軌跡Ｇ４２の終点の絶対座標は読み取られる。この終点は参考点Ｇ４２１として定位に用いられる。
【００２４】
図５は本発明の実施例２による、選択システム９３の対応配置９５１を示す図である。図に示したように、対応配置９５１はフロント視点配置Ｐ１、ライト視点配置Ｐ２及びトップ視点配置Ｐ３を含む。映像区域３２の範囲と選択ユニット３７の操作範囲との間の対応関係を引き出すことによって、参考点Ｇ４２１の最初位置値を決定して、限定できる位置３Ａを選択ユニット３７の動作のポーズに関連づける。
【００２５】
図５において、符号Ｈ、Ｌはそれぞれに映像区域３２の長さ、幅を示す。符号ｕ、ｖ、ｗはそれぞれに、選択ユニット３７と映像区域３２の左縁３２１３との距離、選択ユニット３７と映像区域３２の上縁３２１１との距離、選択ユニット３７と表示スクリーン３１との距離（垂直的に）を示す。符号α１、α２、βはそれぞれに、選択ユニット３７と映像区域３２の上縁３２１１との角度、選択ユニット３７と映像区域３２の下縁３２１２との角度、選択ユニット３７と映像区域３２の左縁３２１３との角度を示す。角度α１、α２は選択ユニット３７の加速度センサー３８２によって測られるもので、角度βはジャイロスコープ３８１によって測られるものである。選択ユニット３７の動作のポーズと映像区域３２の限定できる位置３Ａとの対応関係は、図５の幾何学の関係の計算によって獲得られる。その幾何学の関係は下記の公式に示した：
ｕ＝Ｈtanβ／（tanα１＋tanα２）;
ｖ＝Ｈtanα１／（tanα１＋tanα２）;
ｗ＝Ｈ／（tanα１＋tanα２）。
【００２６】
セット（ｕ，ｖ，ｗ）の変化は相対的な取替えセット（Δｘ，Δｙ，Δｚ）を構成する。限定できる位置３Ａの絶対座標（ｘ，ｙ，ｚ）は相対的な取替えセット（Δｘ，Δｙ，Δｚ）によって獲得される。上記の定位技術は、動作感知の始動、参考点の定位の始動、操作範囲の間の対応、参考点の補償、などを含む。選択ユニット３７にカップリングしたコンピュータに内在した操作プログラムはその技術を行なうことができる。実施例において、選択ユニット３７に内在した処理ユニット３９はその技術を行なうことができる。
【００２７】
図６（ａ）、（ｂ）は本発明の実施例２による、選択システム９３の選択配置９６１、９６２を示す図である。図６（ａ）に示したように、映像３３は映像区域３２に表示され、複数のアイコン３３１、３３２、３３３、３３４、３３５及び３３６は映像３３に定義されている。限定できる位置３Ａの軌跡Ｇ６１（軌跡Ｇ６１１、Ｇ６１２、Ｇ６１３、Ｇ６１４の中の一つ）動作Ｆ６１に対応する。下記の状況は、ある操作方法によって判断される。軌跡Ｇ６１は確実に、映像区域３２のアイコン３３４の座標を取り囲む、或いは映像区域３２のアイコン３３４の座標を通り過ぎるかどうか？標示された区域Ｈ６１は、部分的に限定された区域Ｋ６１と重ね合わせる、全く限定された区域Ｋ６１と重ね合わせる、或いは限定された区域Ｋ６１を全く覆うかどうか？軌跡Ｇ６１によって標示された区域Ｈ６１と区域Ｈ６１の重心とは計算され、重心が標示されたアイコン３３４の区域Ｋ６１内に位置するかどうかをチェックする。上記の状況の一つに当てはまるなら、アイコン３３４は選択される。
【００２８】
この時、図６（ｂ）に示したように、標示されたアイコン３３４の色は変更され（例えば、反転もしくは明滅する）、標示されたアイコン３３４はアイコン４３４によって取り替えられる。その代わりに、選択ユニット３７にカップリングしたコンピュータ（示せず）又は選択ユニット３７は、音、光、或いは力フィードバック又は振動を生成することにより、動作Ｆ６１をした操作者に、アイコン３３４がもう選択された状況にしていることを気付かせる。
【００２９】
標示動作が完了した後、図６（ｂ）に示したように、操作者はさらに動作Ｆ６２をしてメッセージを生成し、アイコン３３４の予定機能が行なわれるようにする。動作Ｆ６２は照合のしるしＦ６２１、バツ、波動線、三角形、弧形、或いは円形を描くことであってもよい。その代わりに、動作Ｆ６２は、手首が選択ユニット３７を回してピッチング動作、揺れ動作、或いは回転動作を生成したもので、若しくは再び弧形又は円形Ｆ６２２を描くことである。選択ユニット３７は動作Ｆ６２を限定できる位置３Ａの軌跡Ｇ６２を転換してもよく、軌跡Ｇ６２は示されなくてもよい。アイコン３３４又は４３４の予定機能が行なうかどうかを決定するため、予定の加速度―減速度、動作または回転モードは、軌跡Ｇ６２又は動作Ｆ６２の加速度―減速度、動作又は回転モードに用いられる。
【００３０】
例えば、加速度センサー３８２が用いられて、動作Ｆ６２の加速度―減速度分布を、又は動作Ｆ６２における選択ユニット３７が有した傾斜を感知してもよい。従って、加速度センサー３８２は図３に示したように、信号Ｓ３の次信号Ｓ３２を処理ユニット３９に出力する。処理ユニット３９は次信号Ｓ３２に基づき動作Ｆ６２の加速度―減速度分布を分析し、実行信号が形成されて、アイコン４３４の予定機能が行なわれるようにする。その実行信号は従来の信号に似ている。その従来の信号は、従来のマウスの左のボタンが速く二回に押されて、カーソルが所要のアイコンに位置して、所要のアイコンの予定機能が行なわれるようにするものである。
【００３１】
図７（ａ）、（ｂ）は本発明の実施例２による、選択システム９３の位置配置９７１、９７２を示す図である。図７（ａ）に示したように、選択ユニット３７のボタン３７１によって、限定できる位置３Ａは映像区域３２におけるある位置Ｇ７１１に位置してもよい。例えば、選択ユニット３７の動作Ｆ７１に対応して、限定できる位置３Ａは移動して軌跡Ｇ７１を形成する。限定できる位置３Ａがある位置Ｇ７１１を通過する際に、ボタン３７１は一回押される。そのように、上記の操作プログラムはある位置Ｇ７１１の絶対座標（ｘ，ｙ，ｚ）を獲得することができ、その位置Ｇ７１１の絶対座標（ｘ，ｙ，ｚ）は現在に選択ユニット３７によって通過された終点である。図７（ａ）に示したように、限定できる位置３Ａはある位置Ｇ７１１に位置して、キーボード７９によって、ある位置Ｇ７１１に対応する輸入始点７１を有するデータ７２を輸入する。
【００３２】
図８（ａ）、（ｂ）、（ｃ）、（ｄ）は本発明の実施例２による、選択システム９３の位置スクロール配置９８１、９８２、９８３、９８４を示す図である。図に示したように、映像８３は映像区域３２に表示される。選択ユニット３７は動作（例えば、Ｆ８１１、Ｆ８２１、Ｆ８３１及びＦ８４１の中の一つ）を有して、映像区域３２において限定できる位置３Ａの始点（例えば、Ｒ１１、Ｒ２１、Ｒ３１及びＲ４１の中の一つ）を建て、映像８３が映像区域３２において動作（例えば、Ｆ８１１、Ｆ８２１、Ｆ８３１及びＦ８４１の中の一つ）によってスクロールされることを引き起こす。動作は上向きＦ８１１、下向きＦ８２１、左向きＦ８３１又は右向きＦ８４１の同時の動作である。ジャイロスコープ３８１又は加速度センサー３８２は上記の動作を感知してそのスクロール機能を行なう。
【００３３】
図８（ａ）、（ｂ）に示したように、上―下スクロール操作は映像区域３２において行なわれる。選択ユニット３７は、上向きＦ８１１又は下向きＦ８２１の同時の動作によって行なわれた上向き又は下向きのスクロール操作を引き起こす。スクロール量について、始点Ｒ１１の位置と映像区域３２の上縁３２１１との間の距離Ｒ１３は、映像８３が上向きにスクロールするスクロール量を表す。その他、始点Ｒ２１の位置と映像区域３２の下縁３２１２との間の距離Ｒ２３は、映像８３が下向きにスクロールするスクロール量を表す。
【００３４】
図８（ｃ）、（ｄ）に示したように、左―右スクロール操作は映像区域３２において行なわれる。選択ユニット３７は、左向きＦ８３１又は右向きＦ８４１の同時の動作によって行なわれた左向き又は右向きのスクロール操作を引き起こす。スクロール量について、始点Ｒ３１の位置と映像区域３２の左縁３２１３との間の距離Ｒ３３は、映像８３が左向きにスクロールするスクロール量を表す。その他、始点Ｒ４１の位置と映像区域３２の右縁３２１４との間の距離Ｒ４３は、映像８３が右向きにスクロールするスクロール量を表す。
【００３５】
実施例において、選択ユニット３７は動作（例えば、Ｆ８１１、Ｆ８２１、Ｆ８３１及びＦ８４１の中の一つ）を有して、その動作を映像区域３２における限定できる位置３Ａの軌跡（例えば、Ｆ８１１、Ｆ８２１、Ｆ８３１及びＦ８４１にそれぞれに対応するＧ８１１、Ｇ８２１、Ｇ８３１及びＧ８４１の中の一つ）に転換する。その軌跡は、映像区域３２において方向（例えば、Ｒ１２、Ｒ２２、Ｒ３２及びＲ４２の中の一つ）及び始点（例えば、Ｒ１１、Ｒ２１、Ｒ３１及びＲ４１の中の一つ）を有する水平線段及び垂直線段との一つに近い線段である。選択ユニット３７は、線段の始点と方向、及び映像区域３２の限界３２１に基づき、映像区域３２において表示された映像８３がもう一つの動作（例えば、Ｆ８１１、Ｆ８２１、Ｆ８３１及びＦ８４１にそれぞれに対応するＧ８１２、Ｇ８２２、Ｇ８３２及びＧ８４２の中の一つ）によってスクロールされたことを引き起こす。
【００３６】
図９は本発明の実施例２による選択システム９３の作動を示すフローチャートである。ステップＱ０２に示したように、動作感知は始まる。ステップＱ０４において、定位のための参考点Ｇ４２１は始動する。例えば、限定できる位置３Ａの軌跡Ｇ４２の参考点Ｇ４２１は始動する。ステップＱ０６において、選択ユニット３７の操作範囲は映像区域３２の範囲に対応することによって、限定できる位置３Ａを選択ユニット３７の動作のポーズに関連づける。ステップＱ０８において、参考点Ｇ４２１の振動と補償は行なわれる。ステップＱ１０において、標示された区域Ｈ６１はアイコンが選択されたことを引き起こす。ステップＱ１２において、動作Ｆ６２はアイコン３３４の予定機能が行われたことを引き起こす。
【００３７】
図２を再び参照する。映像区域２２にあるアイコン２３１を選択する選択方法を提供する。その選択方法は下記のステップを含む。動作Ｆ２１は映像区域２２にある軌跡Ｇ２１に転換される。軌跡Ｇ２１に基づき、映像区域２２にある区域Ｈ２１が決定される。区域Ｈ２１、及び映像区域２２に表示されたアイコン２３１がある区域Ｋ２１に基づき、アイコン２３１が選択されるかどうかは決定される。
【００３８】
従来の三次元マウスの操作と比べて、本発明のマウスは、区域を標示する操作を、手首と手の自然動作に関連付ける技術を含み、それによってスクリーンにおけるアイコンが選択されること、及びアイコンの予定機能が行なわれることを引き起こす。その特徴は従来の三次元マウスと違ったものである。従来の三次元マウスとは、例えばGyration 3D remote controller又はLogitech Air Mouse、先にスクリーンにおけるカーソル又は物体が移動してアイコンを選択して、遂に従来のマウスのボタンを速く二回に押すことによってアイコンの予定機能が行なわれることを引き起こすという技術を有したものである。
【００３９】
上記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【符号の説明】
【００４０】
９１                              図符選択システム
９１１、９１２、９６１、９６２    選択配置
９２、９３                        選択システム
９４１、９４２                    始動させた配置
９５１                            対応配置
９７１、９７２                    定位配置
９８１、９８２、９８３、９８４    スクロール配置
１２、２２、３２                  映像区域
１３、２３、３３、８３            映像
１４                              カーソル
１７                              マウス
１３１、１３２、１３３、１３４    図符
１３５、１３６、２３１、３３１    図符
３３２、３３３、３３４、３３５    図符
３３６、４３４                    図符
Ａ１〜Ａ８                        線段
２１、３１                        スクリーン
２６、３６                        選択装置
２Ａ、３Ａ                        限定できる位置
２７、３７                        選択ユニット
２８、３８                        動作感知ユニット
２９、３９                        処理ユニット
２９１                            コントローラ
Ｆ２１、Ｆ４２、Ｆ６１            動作
Ｆ６２、Ｆ７１                    動作
Ｆ４１                            上下ピッチング動作
Ｆ６２１                          照合のしるしを描く
Ｆ６２２                          円形を描く
Ｆ８１１、Ｆ８１２                瞬間上向き動作
Ｆ８２１、Ｆ８２２                瞬間下向き動作
Ｆ８３１、Ｆ８３２                瞬間左向き動作
Ｆ８４１、Ｆ８４２                瞬間右向き動作
ＧＡ                              動作軌跡
Ｇ２１、Ｇ４２、Ｇ６１、Ｇ６１１  軌跡
Ｇ６１２、Ｇ６１３、Ｇ６１４      軌跡
Ｇ６２、Ｇ７１、Ｇ８１１          軌跡
Ｇ８２１、Ｇ８３１、Ｇ８４１      軌跡
Ｈ２１、Ｋ２１、Ｈ６１、Ｋ６１    区域
Ｓ１、Ｓ３                        信号
Ｓ１１、Ｓ１２                    信号の部分
Ｓ３１、Ｓ３２                    次信号
２８１、３８１                    ジャイロスコープ
２８２、３８２                    加速度センサー
３７１                            ボタン
３７３                            無線伝輸モジュール
３７４                            発光ユニット
３７５                            発音ユニット
Ｇ４２１                          参考点
α１、α２、β                    角
３２１                            辺界
３２１１                          映像区域の上縁
３２１２                          映像区域の下縁
３２１３                          映像区域の左縁
３２１４                          映像区域の右縁
Ｇ７１１                          特定位置
７１                              輸入点
７２                              データ
７９                              キーボード
Ｒ１１、Ｒ２１、Ｒ３１、Ｒ４１    始点
Ｒ１２、Ｒ２２、Ｒ３２、Ｒ４２    方向
Ｒ１３、Ｒ２３、Ｒ３３、Ｒ４３    距離
【図１Ａ】
2010108482.tif 000003
【図１Ｂ】
2010108482.tif 000004
【図２】
2010108482.tif 000005
【図３】
2010108482.tif 000006
【図４Ａ】
2010108482.tif 000007
【図４Ｂ】
2010108482.tif 000008
【図５】
2010108482.tif 000009
【図６Ａ】
2010108482.tif 000010
【図６Ｂ】
2010108482.tif 000011
【図７Ａ】
2010108482.tif 000012
【図７Ｂ】
2010108482.tif 000013
【図８Ａ】
2010108482.tif 000014
【図８Ｂ】
2010108482.tif 000015
【図８Ｃ】
2010108482.tif 000016
【図８Ｄ】
2010108482.tif 000017
【図９】
2010108482.tif 000018
【外国語明細書】
2010108482000001.pdf